(57)【要約】【課題】隙間ノズルをユーザが希望するタイミングで使用できる小型化軽量化した電気掃除機を提供する。【解決手段】裏面パネル１ｂの前方側に掃除機吸気口１ｃが設けられ、表面パネル１ａ、裏面パネル１ｂの各中央部に掃除機排気口１ｄ、１ｄ’が設けられている。掃除機吸気口１ｃには、第１の回転ブラシ２ａを収容する回転ブラシ収容室２が設けられ、回転ブラシ収容室２の後方側に中空の風路部材３を収容するための風路部材収容室４が連通している。風路部材収容室４に隣接してダストボックスユニット５を設け、ダストボックスユニット５の後方側端面に風路部材３をノズルとして差し込むためのノズル差込口６を設ける。ダストボックスユニット５は、ダストボックス５ａ、ダストボックス吸気口５ｂ、ダストボックス排気口５ｃ、及び集塵フィルタ５ｅよりなる。ダストボックス排気口５ｃと掃除機排気口１ｄ、１ｄ’との間には、送風ファン７を設ける。【選択図】  図１
2020018688.tif 000002
【特許請求の範囲】
【請求項１】
前方側に設けられた掃除機吸気口及び中央部に設けられた掃除機排気口を有する電気掃除機であって、
前記掃除機吸気口に設けられ、回転ブラシを収容する回転ブラシ収容室と、
前記回転ブラシ収容室に連通する風路部材と、
前記風路部材を着脱可能に収容する風路部材収容室と、
前記風路部材収容室と隣接するダストボックスユニットと
を具備し、
前記ダストボックスユニットは、前記風路部材に連通するダストボックス吸気口、ダストボックス排気口、前記ダストボックス排気口を塞ぐように設けられた集塵フィルタ、及び前記風路部材収容室から取り外した前記風路部材を差し込むことのできるノズル差込口を有し、
前記ダストボックス排気口と前記掃除機排気口との間に設けられた送風ファンを具備する電気掃除機。
【請求項２】
前記ダストボックスユニットは、
前記ダストボックス吸気口及び前記集塵フィルタを塞ぐように設けられ、前記ノズル差込口を有するダストボックスを有する請求項１に記載の電気掃除機。
【請求項３】
前記ダストボックスユニットは、パッキンを具備し、
前記風路部材が前記風路部材収容室に収容されるときに前記パッキンはノズル差込口に嵌め込められ、前記風路部材が前記ノズル差込口に差込まれるときに前記パッキンは前記ダストボックス吸気口に嵌め込められるようにした請求項２に記載の電気掃除機。
【請求項４】
前記ダストボックスユニットは、
前記ダストボックス吸気口及び前記集塵フィルタを塞ぐように設けられ、第１の開口を有する内側ダストボックスと、
前記内側ダストボックスの外側に回転可能に設けられ、第２の開口を有する外側ダストボックスと
を具備し、
前記外側ダストボックスは前記内側ダストボックスの回りを回転可能に構成され、
前記外側ダストボックスが回転して前記第１の開口と前記第２の開口とが重複したときの前記第１の開口と前記第２の開口とが前記ノズル差込口を構成するようにした請求項１に記載の電気掃除機。
【請求項５】
前記外側ダストボックスは前記内側ダストボックス内に突出したリブを有し、
前記第１の開口と前記第２の開口とが重複したときに前記リブが前記ダストボックス吸気口を塞ぐようにした請求項４に記載の電気掃除機。
【請求項６】
前記回転ブラシは前記風路部材収容室に向って平行に配置された第１の回転ブラシ及び第２の回転ブラシよりなり、
前記第１の回転ブラシは、第１の回転体及び該第１の回転体の長さ方向にＺ巻き螺旋状に配設された複数の毛の集合体よりなるＺ巻き清掃片を有し、
前記第２の回転ブラシは、第２の回転体及び該第２の回転体の長さ方向にＳ巻き螺旋状に配設された複数の毛の集合体よりなるＳ巻き清掃片を有し、
前記掃除機吸気口から見て前記回転ブラシ収容室の前方側を上とし前記回転ブラシ収容室の後方側を下とした場合、前記第１の回転ブラシは前記第２の回転ブラシの左側に配置され、前記吸引口は前記第１の回転ブラシと前記第２の回転ブラシとの間における前記回転ブラシ収容室の下に配置され、
前記ブラシ駆動モータは、前記回転ブラシ収容室の上から見て、前記第１の回転ブラシを左回転させかつ前記第２の回転ブラシを右回転させるようにした請求項１に記載の電気掃除機。
【発明の詳細な説明】
【技術分野】
【０００１】
本発明は電気掃除機、特にその隙間ノズル（以下、単にノズルとする）に関する。
【背景技術】
【０００２】
従来の電気掃除機において、狭い場所を掃除する際には、別体のノズル（アタッチメント）を取り付ける構成となっている（参照：特許文献１の図２、特許文献２）。別体のノズルを取り付ける際には、電気掃除機の前方側の回転ブラシを収容した吸口体又は吸込具（本明細書では、回転ブラシ収容室）を取り外した上で取り付けられる。従って、ノズルは電気掃除機本体のパイプケース又は延長管の先端に着脱自在となっている。この結果、ノズルの非使用時には、ノズルを電気掃除機本体に搭載するか、ノズルを電気掃除機本体と分離して保管する。
【先行技術文献】
【特許文献】
【０００３】
【特許文献１】特開２０１７−１６９８９５号公報
【特許文献２】特開２００５−２０４７６３号公報
【発明の概要】
【発明が解決しようとする課題】
【０００４】
しかしながら、上述の従来の電気掃除機においては、ノズルを電気掃除機本体に搭載すると、電気掃除機本体が大型化重量化するという課題がある。他方、ノズルを電気掃除機本体から分離して保管すると、ユーザが希望するタイミングでノズルを使用することに対する妨げとなるという課題がある。
【課題を解決するための手段】
【０００５】
上述の課題を解決するために、本発明に係る電気掃除機は、前方側に設けられた掃除機吸気口及び中央部に設けられた掃除機排気口を有する電気掃除機であって、掃除機吸気口に設けられ、回転ブラシを収容する回転ブラシ収容室と、回転ブラシ収容室に連通する風路部材と、風路部材を着脱可能に収容する風路部材収容室と、風路部材収容室と隣接するダストボックスユニットとを具備し、ダストボックスユニットは、風路部材連通するダストボックス吸気口、ダストボックス排気口、ダストボックス排気口を塞ぐように設けられた集塵フィルタ、及び風路部材収容室から取り外した風路部材を差し込むことのできるノズル差込口を有し、ダストボックス排気口と掃除機排気口との間に設けられた送風ファンを具備する。
【発明の効果】
【０００６】
本発明によれば、ダストボックスのノズル差込口に取り付けることでノズルとしても使用可能な風路部材を電気掃除機本体の構成の一部として着脱可能に構成することにより電気掃除機本体を小型化軽量化でき、また、ユーザが希望するタイミングで風路部材収容室の風路部材をノズル差込口に差込むことでノズルとして使用することができる。
【図面の簡単な説明】
【０００７】
【図１】本発明に係る電気掃除機の第１の実施の形態を示し、（Ａ）は下面図、（Ｂ）は（Ａ）のＢ−Ｂ線縦断面図である。
【図２】図１のダストボックスユニットの部分拡大斜視図であって、（Ａ）は一部切り欠いた斜視図、（Ｂ）は透視斜視図である。
【図３】図１の電気掃除機において風路部材を風路部材収容室からノズル差込口へ移動する操作を説明するための図である。
【図４】風路部材をノズルとして用いた場合の図１の電気掃除機の縦断面図である。
【図５】本発明に係る電気掃除機の第２の実施の形態を示す部分斜視図であって、（Ａ）は一部切り欠いた斜視図、（Ｂ）は透視斜視図である。
【図６】図５の電気掃除機においてノズル差込口の構成を説明するための図である。
【図７】図１の電気掃除機の変更例を示す縦断面図である。
【図８】図７の回転ブラシ収容室の内部を説明するための図を示し、（Ａ）は掃除機吸気口（清掃面）の正面よりやや上から見た図、（Ｂ）は掃除機吸気口（清掃面）正面の上方から見た図である。
【図９】回転ブラシ収容室の第１の回転ブラシ及び第２の回転ブラシの動作を説明するための図である。
【発明を実施するための形態】
【０００８】
図１は本発明に係る電気掃除機の第１の実施の形態を示し、（Ａ）は下面図、（Ｂ）は（Ａ）のＢ−Ｂ線縦断面図である。
【０００９】
図１においては、ハウジングは、表面パネル１ａ及び裏面パネル１ｂによって構成され、裏面パネル１ｂの前方側に掃除機吸気口１ｃが設けられ、表面パネル１ａ、裏面パネル１ｂの各中央部に掃除機排気口１ｄ、１ｄ’が設けられている。
【００１０】
回転ブラシ２ａを収容する回転ブラシ収容室２には、掃除機吸気口１ｃが設けられ、回転ブラシ収容室２の近傍に回転ブラシ２ａを駆動するためのブラシ駆動モータ２ｂが設けられている。また、回転ブラシ収容室２の後方側に中空の風路部材３を収容するための凹部を有する風路部材収容室４が連通している。尚、風路部材収容室４は風路部材３を嵌め易く外れにくい形状をなしている。また、風路部材３は、細長い筒状であり、後述のごとくノズルとしても作用する。さらに、風路部材収容室４に隣接して電気掃除機の後方側にダストボックスユニット５を設け、ダストボックスユニット５の後方側端面に風路部材３をノズルとして差し込むためのノズル差込口６を設ける。
【００１１】
風路部材３がノズル差込口６に差し込まれていないときには、ノズル差込口６には図１の（Ｂ）に示すごとくパッキン（栓）６ａが嵌められている。従って、風路部材３が風路部材収容室４に収容されていると、掃除機吸気口１ｃからの吸引風流Ｆ１は回転ブラシ収容室２から風路部材３を介してダストボックスユニット５内に流れ込むが、パッキン６ａによってノズル差込口６から流出しない。
【００１２】
図２をも参照すると、ダストボックスユニット５は、カップ状のダストボックス５ａ、風路部材収容室４（風路部材３）に連通するダストボックス吸気口５ｂ、中央部側のダストボックス排気口５ｃ、ダストボックス吸気口５ｂを塞ぐようにダストボックス吸気口５ｂの左右いずれかの一方側に固定された逆止弁パッキン５ｄ、及びダストボックス排気口５ｃに設けられたカップ状の集塵フィルタ５ｅによりなる。尚、ダストボックス５ａはダストボックス５ａの縁部を押下げることによってハウジング（１ａ、１ｂ）から外せる。つまり、ダストボックス５ａはハウジング（１ａ、１ｂ）に脱着可能になっている。尚、図２においては、逆止弁パッキン５ｄは省略してある。
【００１３】
ダストボックスユニット５のダストボックス排気口５ｃと掃除機排気口１ｄ、１ｄ’との間には、送風ファン７及び送風ファン７を駆動するためのファン駆動モータ７ａを設ける。これにより、ダストボックスユニット５へ流れ込んだ吸引風流Ｆ１を電気掃除機の前方側へ折り返して掃除機排気口１ｄ、１ｄ’から排出させる。
【００１４】
さらに、表面パネル１ａの前方側には清掃面近傍を光照射するための発光ダイオード（ＬＥＤ）等を含むヘッドライト８が設けられている。他方、裏面パネル１ｂには、マイクロコンピュータ等よりなる制御ユニット９が設けられ、これに対向して表面パネル１ａに充電用電池１０が設けられている。尚、充電用電池１０は設けなくともよい。さらにまた、表面パネル１ａ又は裏面パネル１ｂには、シガーレットライタに接続される電源コード（図示せず）の電源コードコネクタ（図示せず）及び電源スイッチ（図示せず）が設けられている。さらにまた、風路部材収容室４には、風路部材３が存在しているか否かを検知するための光学的又は接触式の風路部材検知センサ（図示せず）を設け、制御ユニット９は風路部材３の存在／不存在に応じてブラシ駆動モータ２ｂ及びヘッドライト８をオンオフ制御して省電力及び安全性を向上させることができる。ヘッドライト８、充電用電池１０、電源コードコネクタ、電源スイッチ及び風路部材検知センサは制御ユニット９に接続されている。
【００１５】
風路部材３が風路部材収容室４に収容されている場合の図１の電気掃除機の動作を説明する。
【００１６】
始めに、ユーザは電源コードを電源コードコネクタと自動車のシガーレットライタとの間に接続し、掃除機吸気口１ｃを清掃面に合わせる。
【００１７】
次に、電源スイッチをオンにすると、制御ユニット９は風路部材検知センサの出力によって風路部材収容室４における風路部材３の存在を検知する。この結果、制御ユニット９はブラシ駆動モータ２ｂをオンにして回転ブラシ２ａを駆動し、また、ヘッドライト８をオンにして電気掃除機の前方の清掃面に光照射する。さらに、同時に、制御ユニット９はファン駆動モータ７ａをオンとして送風ファン７を駆動する。従って、図１の（Ｂ）に示すごとく、掃除機吸気口１ｃから吸引された吸引風流Ｆ１は回転ブラシ収容室２から風路部材３、ダストボックスユニット５を介して掃除機排気口１ｄ、１ｄ’へ流れ、排出される。
【００１８】
次に、吸引動作を終了させるために、ユーザが電源スイッチをオフにすると、ブラシ駆動モータ２ｂ、ファン駆動モータ７ａがオフとされ、従って、回転ブラシ２ａ、送風ファン７の駆動が停止され、また同時に、ヘッドライト８もオフとされ、電気掃除機の前方の清掃面の光照射を停止する。
【００１９】
最後に、ユーザはダストボックス５ａの淵部を押すことによりダストボックス５ａを取り外し、塵埃溜場所に溜まった塵埃を廃棄する。
【００２０】
図３は図１の電気掃除機において風路部材３を風路部材収容室４からノズル差込口６へ移動する操作を説明するための図である。
【００２１】
始めに、図３の（Ａ）を参照すると、風路部材３の両側の裏面パネル１ｂの溝に指等を入れることにより風路部材３を裏面パネル１ｂから取外す。
【００２２】
次に、図３の（Ｂ）を参照すると、ノズル差込口６からパッキン６ａを取り外し、風路部材収容室４側のダストボックス吸気口５ｂに嵌め込む。これによりダストボックス吸気口５ｂは閉状態となる。
【００２３】
最後に、図３の（Ｃ）を参照すると、風路部材３をノズルとしてノズル差込口６に差込む。
【００２４】
図４は風路部材３をノズル差込口６に差込んだ状態の図１の電気掃除機の縦断面図である。
【００２５】
風路部材３がノズル差込口６に差込まれている場合の図４の電気掃除機の動作を説明する。
【００２６】
始めに、ユーザは電源コードを電源コードコネクタと自動車のシガーレットライタとの間に接続し、ノズルとしての風路部材３の先端を清掃面に合わせる。
【００２７】
次に、電源スイッチをオンにすると、制御ユニット９は風路部材検知センサの出力によって風路部材収容室４における風路部材３の不存在を検知する。この結果、制御ユニット９はブラシ駆動モータ２ｂをオフにして回転ブラシ２ａを駆動させず、また、ヘッドライト８をオフにする。これにより、省電力及び安全性が向上する。他方、制御ユニット９はファン駆動モータ７ａをオンとして送風ファン７を駆動する。従って、図４に示すごとく、ノズルとしての風路部材３から吸引された吸引風流Ｆ２はダストボックスユニット５から掃除機排気口１ｄ、１ｄ’へ流れ、排出される。
【００２８】
次に、吸引動作を終了させるために、ユーザが電源スイッチをオフにすると、ファン駆動モータ７ａがオフとされ、従って、送風ファン７の駆動が停止する。
【００２９】
風路部材３がノズル差込口６に差込まれている場合の吸引動作においても、風路部材３を風路部材収容室４に収容した場合と同等の吸い込み効率が得られた。風路部材３をノズル差込口６に差し込んで隙間ノズルとして使用した場合には、ダストボックス５ａに直接接続されるので、流路も延長されることなく、むしろ短縮されたことによるものと考えられる。
【００３０】
そして、従来技術のような前方側の回転ブラシを収容した吸口体又は吸込具を取り外した上でノズルを取り付ける電気掃除機と比較しても、本発明の電気掃除機において、風路部材３がノズル差込口６に差込んだ場合の流路は、短縮されたものとなるから、ノズル使用時の吸引効率の高い電気掃除機を提供することができる。
【００３１】
最後に、ユーザはダストボックス５ａの淵部を押すことにより風路部材（ノズル）３と共にダストボックス５ａを取り外し、塵埃溜場所に溜まった塵埃を廃棄する。
【００３２】
図５は本発明に係る電気掃除機の第２の実施の形態を示す部分拡大斜視図であって、（Ａ）は一部切り欠いた斜視図、（Ｂ）は透視斜視図である。
【００３３】
図５においては、図１のカップ状のダストボックス５ａの代りに、二重構造のカップ状のダストボックスつまり内側ダストボックス５ａ−１及び外側ダストボックス５ａ−２を設けてある。この場合、内側ダストボックス５ａ−１はハウジング（１ａ、１ｂ）に直接固定され、外側ダストボックス５ａ−２は内側ダストボックス５ａ−１に回転可能に取り付けられている。
【００３４】
内側ダストボックス５ａ−１には開口５ａ−１−１が設けられ、他方、外側ダストボックス５ａ−２には開口５ａ−２−１が設けられている。開口５ａ−１−１と開口５ａ−２−１とは、外側ダストボックス５ａ−２が回転した場合に相互に重複可能な位置に形成されている。
外側ダストボックス５ａ−２を回転させて開口５ａ−１−１と開口５ａ−２−１とが重複したときには、開口５ａ−１−１、開口５ａ−２−１は図１でノズル差込口６として作用する。また、外側ダストボックス５ａ−２を回転させて開口５ａ−１−１と開口５ａ−２−１とが重複しなくなったときには、開口５ａ−２−１は、内側ダストボックス５−ａで塞がれており、開口５ａ−１−１は、外側ダストボックス５ａ−２で塞がれている。つまり、実質的に図１のパッキン６ａがノズル差込口６に嵌め込められた状態と同等となる。
【００３５】
また、外側ダストボックス５ａ−２の縁部の内側には、リブ５ａ−２−２が設けられている。リブ５ａ−２−２は内側ダストボックス５ａ−１のスリット５ａ−１−２を介して内側ダストボックス５ａ−１の内部に突出している。外側ダストボックス５ａ−２の開口５ａ−２−１が内側ダストボックス５ａ−１の開口５ａ−１−１に重複していない状態では、リブ５ａ−２−２はダストボックス吸気口５ｂを塞がない位置に存在する。他方、外側ダストボックス５ａ−２を回転させて開口５ａ−１−１と開口５ａ−２−１とが重複したときには、リブ５ａ−２−２は、ダストボックス吸気口５ｂを塞ぐ位置に形成されている。すなわち、開口５ａ−１−１と開口５ａ−２−１が重なってノズル差込口を構成する場合において、風路部材収容室３とダストボックスユニット５との間のダストボックス吸気口５ｂを塞ぐことができる。つまり、リブ５ａ−２−２は、図１のダストボックス吸気口５ｂを塞ぐパッキン６ａの作用をする。
【００３６】
風路部材３が風路部材収容室４に収容されている場合の図５の電気掃除機の動作は図１の電気掃除機の動作と同一である。つまり、内側ダストボックス５ａ−１の開口５ａ−１−１と外側ダストボックス５ａ−２の開口５ａ−２−１とが重複しておらず、従って、図１においてパッキン６ａがノズル差込口６に嵌め込まれた状態と同一である。この結果、図１に示す吸引風流Ｆ１と同一の流路をなす吸引風流が流れることになる。
【００３７】
図５の電気掃除機において風路部材３を風路部材収容室４から開口５ａ−１−１と開口５ａ−２−１とによって構成されるノズル差込口へ移動する操作を説明する。
【００３８】
始めに、風路部材３の両側の裏面パネル１ｂの溝に指等を入れることにより風路部材３を裏面パネル１ｂから取外す。
【００３９】
また、図６の外側ダストボックス５ａ−２を１８０°回転させて外側ダストボックス５ａ−２の開口５ａ−２−１を内側ダストボックス５ａ−１の開口５ａ−１−１に重複させてノズル差込口を構成する。このとき、同時に、外側ダストボックス５ａ−２のリブ５ａ−２−２はダストボックス吸気口５ｂを塞ぐことになる。
【００４０】
続いて、風路部材３をノズルとして開口５ａ−１−１と開口５ａ−２−１とによって構成されるノズル差込口に差込む。
【００４１】
風路部材３を開口５ａ−１−１、開口５ａ−２−１によるノズル差込口に差込んだ状態の図５の電気掃除機の動作も風路部材３がノズル差込口６に差込まれた図４の電気掃除機の動作と同一である。この結果、図４に示す吸引風流Ｆ２と同一の流路をなす吸引風流が流れることになる。
【００４２】
図７は図１の電気掃除機の変更例を示す縦断面図である。
【００４３】
図７においては、図１の回転ブラシ収容室２の代りに、回転ブラシ収容室２’を設けてある。また、回転ブラシ収容室２’は、吸引流路２ｄを介して、風路部材収容室４に収容された風路部材３の中空部に連通する。尚、吸引流路２ｄは裏面パネル１ｂによって構成される。回転ブラシ収容室２’には、吸引流路２ｄへつながる吸引口２ｃが、回転ブラシの一端部に対向する面に形成されている。
【００４４】
図８は回転ブラシ収容室２’の内部を説明するための図であって、（Ａ）は掃除機吸気口（清掃面）の正面よりやや上から見た図、（Ｂ）は掃除機吸気口（清掃面）正面の上方から見た図である。説明の便宜上、図１に示す第１の実施の形態とは異なる形状等で示しているが、基本的な構成は共通している。尚、図８において、上側が掃除機前方側であり、他方、下側が掃除機後方側であり、吸引流路２ｄに対する吸引口２ｃが下側に設けられている。
【００４５】
図８に示すように、回転ブラシ収容室２’には、吸引流路２ｄつまり風路部材収容室４に向って第１の回転ブラシ２ａ−１及び第２の回転ブラシ２ａ−２が平行に配置されている。すなわち、掃除機吸気口１ｃへ投影したときに、電気掃除機の本体は第１の回転ブラシ２ａ−１及び第２の回転ブラシ２ａ−２の長軸方向に平行な長軸を有する把持部を有する。
【００４６】
第１の回転ブラシ２ａ−１は、第１の回転体２ａ−１−１と、第１の回転体２ａ−１−１の長さ方向にＺ巻き螺旋状に配設された複数のナイロン（登録商標）毛よりなる集合体なるＺ巻き清掃片２ａ−１−２とによって構成される。尚、「Ｚ巻き」とは図８において手前に見える清掃片２ａ−１−２の右上と左下とを結ぶものを言う。他方、第２の回転ブラシ２ａ−２は、第２の回転体２ａ−２−１と、第２の回転体２ａ−２−１の長さ方向にＳ巻き螺旋状に配設された複数のナイロン（登録商標）毛よりなる集合体なるＳ巻き清掃片２ａ−２−２とによって構成される。尚、「Ｓ巻き」とは図８において手前に見える清掃片２ａ−２−２の左上と右下とを結ぶものを言う。吸引流路２ｄへの吸引口２ｃは第１の回転ブラシ２ａ−１と第２の回転ブラシ２ａ−２との間における回転ブラシ収容室２’の後方側に配置されている。第１の回転ブラシ２ａ−１と第２の回転ブラシ２ａ−２は、相互に内回転となるように駆動する。
【００４７】
清掃片２ａ−１−２がＺ巻き螺旋状に配設された第１の回転ブラシ２ａ−１を左、清掃片２ａ−２−２がＳ巻き螺旋状に配設された第２の回転ブラシ２ａ−２を右としてみた場合において、吸引口２ｃは、両回転ブラシ２ａ−１、２ａ−２間の下側終端部に位置するよう設計されている。
【００４８】
図８における回転ブラシ２ａ−１、２ａ−２の長さはたとえば５５ｍｍであり、また、回転ブラシ２ａ−１、２ａ−２間の隙間距離は接触しない程度のたとえば１ｍｍである。さらに、各回転ブラシ２ａ−１、２ａ−２の清掃片２ａ−１−２、２ａ−２−２において、ピッチは等間隔でたとえば１０ｍｍ、ピッチ数は５以上であり、また、清掃片２ａ−１−２、２ａ−２−２の回転体２ａ−１−１、２ａ−１−２の軸に対する傾きは３０〜５０°たとえば４０°である。さらにまた、清掃片２ａ−１−２、２ａ−２−２の毛の長さはたとえば８ｍｍである。回転ブラシ２ａ−１、２ａ−２は、例えば、基布状に２列の清掃片が立設するように取り付けられたテープ状の布をシャフトの外周に巻きつけて構成される。
【００４９】
図９は図７の回転ブラシ収容室２’の第１の回転ブラシ２ａ−１及び第２の回転ブラシ２ａ−２の動作を説明するための図である。
【００５０】
図９に示すように、Ｚ巻き清掃片２ａ−１−２を備えた第１の回転ブラシ２ａ−１が先端側（吸引口２ｃと反対側）から見て左回り（Ｌ）に回転することにより、清掃面において、清掃片２ａ−１−２に接触した塵埃が、吸引口２ｃ側へ掃き送られる。つまり、清掃片２ａ−１−２に接触した塵埃は、第１の回転ブラシ２ａ−１がＬ方向の回転に伴って、順次、吸引口２ｃ側の清掃片２ａ−１−２が清掃面に露出することにより、吸引口２ｃ側へ掃き送られる。さらに図９において、回転に伴い連続する１本の清掃片２ａ−１−２が清掃面に露出する様子を矢印Ｘ１として示してある。
【００５１】
また、Ｓ巻き清掃片２ａ−２−２を備えた第２の回転ブラシ２ａ−２が先端側（吸引口２ｃと反対側）から見て右回り（Ｒ）に回転することにより、清掃面において、清掃片２ａ−２−２に接触した塵埃が、吸引口２ｃ側へ掃き送られる。つまり、清掃片２ａ−２−２に接触した塵埃は、第２の回転ブラシ２ａ−２がＲ方向の回転に伴って、順次、吸引口２ｃ側の清掃片２ａ−２−２が清掃面に露出することにより、吸引口２ｃ側へ掃き送られる。尚、図９において、回転に伴い連続する１本の清掃片２ａ−２−２が清掃面に露出する様子を矢印Ｘ２として示してある。
【００５２】
そして、吸引口２ｃは、第１の回転ブラシ２ａ−１と第２の回転ブラシ２ａ−２の終端側に位置して、清掃片２ａ−１−２および清掃片２ａ−２−２による塵埃の送りを阻害することなく、吸引口２ｃ側へ送られた塵埃を効率よく吸引することができる。特に、吸引口２ｃが、第１の回転ブラシ２ａ−１と第２の回転ブラシ２ａ−２との間の中腹位置に設けられたものと比較して、清掃片による塵埃の送り機能が阻害されないため、塵埃の吸引効率が高い。
【００５３】
さらに、図９に示すように、第１の回転ブラシ２ａ−１が左回り（Ｌ）しかつ第２の回転ブラシ２ａ−２が右回り（Ｒ）すると、左側の清掃面からの塵埃は、第１の回転ブラシ２ａ−１のＺ巻き清掃片２ａ−１−２の内回転により第１の回転ブラシ２ａ−１と第２の回転ブラシ２ａ−２との間に位置する吸引流路にも掃き出される。また、右側の清掃面からの塵埃は、第２の回転ブラシ２ａ−２のＳ巻き清掃片２ａ−２−２の内回転により第１の回転ブラシ２ａ−１と第２の回転ブラシ２ａ−２との間に位置する吸引流路にも掃き出される。そして、各回転ブラシ２ａ−１、２ａ−２によって両回転ブラシ２ａ−１、２ａ−２間の吸引流路に掃き集められた塵埃は、矢印Ｙに示すごとく吸引口２ｃに向う。従って、清掃面からのほとんどの塵埃は吸引口２ｃに効率よく吸引されることになる。
【００５４】
第１の回転ブラシ２ａ−１及び第２の回転ブラシ２ａ−２の長手方向（たとえば前後方向）の清掃面に対する掃引抵抗は、２本の回転ブラシ２ａ−１、２ａ−２の長軸方向が掃引の前後方向となり、回転ブラシ２ａ−１、２ａ−２の回転の影響が小さいことより小さい。また、第１の回転ブラシ２ａ−１及び第２の回転ブラシ２ａ−２の短手方向（たとえば左右方向）の清掃面に対する掃引抵抗は、２つの回転ブラシ２ａ−１、２ａ−２が互いに逆方向に回転するので、２つの回転ブラシ２ａ−１、２ａ−２が同じ方向に回転する場合と比較して、左右均等かつ小さい。従って、掃引抵抗は前後左右方向で小さくなり、この結果、掃引清掃が容易となる。
【００５５】
尚、図７の変更例は図５の電気掃除機にも適用し得る。
【００５６】
また、本発明は上述の実施の形態の自明の範囲のいかなる変更に適用し得る。例えば、本実施の形態では、電気掃除機本体の一部が握り部を構成しているが、別途、握り部を設けた構成としてもよい。その場合においても回転ブラシ長軸と平行に延びる握り部を設けることが好ましい。
【産業上の利用可能性】
【００５７】
本発明は電気掃除機、特に小型電気掃除機としてハンディクリーナ、カークリーナに利用できる。特に、電池を内蔵せずに、たとえばシガーレットライタを介して自動車のバッテリを利用することによりカークリーナを小型化できる。
【符号の説明】
【００５８】
１ａ：表面パネル
１ｂ：裏面パネル
１ｃ：掃除機吸気口
１ｄ：掃除機排気口
２、２’：回転ブラシ収容室
２ａ：回転ブラシ
２ａ−１：第１の回転ブラシ
２ａ−１−１：第１の回転体
２ａ−１−２：Ｚ巻き清掃片
２ａ−２：第２の回転ブラシ
２ａ−２−１：第２の回転体
２ａ−２−２：Ｓ巻き清掃片
２ｂ：ブラシ駆動モータ
２ｃ：吸引口
２ｄ：吸引流路
３：風路部材（ノズル）
４：風路部材収容室
５：ダストボックスユニット
５ａ：ダストボックス
５ａ−１：内側ダストボックス
５ａ−１−１：開口
５ａ−１−２：スリット
５ａ−２：外側ダストボックス
５ａ−２−１：開口
５ａ−２−２：リブ
５ｂ：ダストボックス吸気口
５ｃ：ダストボックス排気口
５ｄ：逆止弁パッキン
５ｅ：集塵フィルタ
６：ノズル差込口
６ａ：パッキン（栓）
７：送風ファン
７ａ：ファン駆動モータ
８：ヘッドライト
９：制御ユニット
１０：充電用電池
Ｆ１、Ｆ２：吸引風流
【図１】
2020018688.tif 000003
【図２】
2020018688.tif 000004
【図３】
2020018688.tif 000005
【図４】
2020018688.tif 000006
【図５】
2020018688.tif 000007
【図６】
2020018688.tif 000008
【図７】
2020018688.tif 000009
【図８】
2020018688.tif 000010
【図９】
2020018688.tif 000011